(57)【要約】【課題】複数本のフレキシブルプリント基板が接続されたモジュールを筐体に内蔵した電子機器において、フレキシブルプリント基板同士を固定することができる電子機器を提供する。【解決手段】所定のモジュール３４と、所定のモジュール３４に接続された第１及び第２のフレキシブルプリント基板（ＦＰＣ）７０，８０と、所定のモジュール３４及びＦＰＣ７０，８０を内蔵する筐体とを備え、第１のＦＰＣ７０と第２のＦＰＣ８０との少なくとも一方は、その側部に、該側部から延出する舌片７４ａ，７４ｂを備え、一方のＦＰＣ７０における舌片７４ａ，７４ｂが他方のＦＰＣ８０の表面に係止されることにより、第１のＦＰＣ７０と第２のＦＰＣ８０とが互いに固定される。【選択図】図８
2009260140.tif 000002
【特許請求の範囲】
【請求項１】
所定のモジュールと、
前記所定のモジュールに接続された第１及び第２のフレキシブルプリント基板と、
前記所定のモジュール及び前記フレキシブルプリント基板を内蔵する筐体とを備え、
前記第１のフレキシブルプリント基板と前記第２のフレキシブルプリント基板との少なくとも一方は、その側部に、該側部から延出する舌片を備え、
一方の前記フレキシブルプリント基板における前記舌片が他方の前記フレキシブルプリント基板の表面に係止されることにより、前記第１のフレキシブルプリント基板と前記第２のフレキシブルプリント基板とが互いに固定される電子機器。
【請求項２】
前記第１のフレキシブルプリント基板及び前記第２のフレキシブルプリント基板は、前記所定のモジュールの端部において同じ方向に延びている請求項１に記載の電子機器。
【請求項３】
前記第２のフレキシブルプリント基板は、前記第１のフレキシブルプリント基板を横断している請求項１又は２に記載の電子機器。
【請求項４】
前記舌片は、前記第１のフレキシブルプリント基板の両側部にそれぞれ設けられており、前記第２のフレキシブルプリント基板の側部には設けられていない請求項３に記載の電子機器。
【請求項５】
前記第１のフレキシブルプリント基板の両側部にそれぞれ設けられた前記舌片は、該第１のフレキシブルプリント基板を横断する前記第２のフレキシブルプリント基板を挟んで、前記第１のフレキシブルプリント基板が延びる方向の両側にそれぞれ位置する請求項４に記載の電子機器。
【請求項６】
前記第１のフレキシブルプリント基板と前記第２のフレキシブルプリント基板とは、前記舌片を除き、重なっていない請求項１又は２に記載の電子機器。
【請求項７】
前記所定のモジュールは、ディスプレイモジュールである請求項１から６のいずれか１項に記載の電子機器。
【請求項８】
前記所定のモジュールは、前記第１のフレキシブルプリント基板と接続された第１のモジュールと、前記第２のフレキシブルプリント基板と接続された第２のモジュールとを備える請求項１から７のいずれか１項に記載の電子機器。
【発明の詳細な説明】
【技術分野】
【０００１】
本発明は、液晶ディスプレイなどに利用されるディスプレイモジュールを備えた携帯電話機などの電子機器に関する。
【背景技術】
【０００２】
携帯電話機の表示部側筐体には、一般的に液晶ディスプレイ（以下「ＬＣＤ」ともいう）が設けられている。液晶ディスプレイの機能は、表示部側筐体に内蔵されたディスプレイモジュールにより実現される（例えば、下記特許文献１参照）。
【０００３】
また、ディスプレイモジュールは、フレキシブルプリント基板（以下「ＦＰＣ」ともいう）を介して回路基板などに電気的に接続されていることが多いが、ディスプレイモジュールによっては、１個のディスプレイモジュールにつき複数本のＦＰＣが接続されるものもある。例えば、第１のＦＰＣとしてＬＣＤ用ＦＰＣ（ＬＣＤに表示する画像情報などの信号を伝達するためのＦＰＣ）が接続され、第２のＦＰＣとしてＬＥＤ用ＦＰＣ（ＬＣＤのバックライトを点灯するための電力を伝達するためのＦＰＣ）が接続されるディスプレイモジュールがある。
【０００４】
ＦＰＣは、表示部側筐体の内部において、ディスプレイモジュールが配設されるケース部材に設けられた細長の挿通孔に挿通されたり、折り返されたりして取り回された状態で、回路基板などに接続される。
複数本のＦＰＣを備える場合には、ＦＰＣ同士が固定されていないと、ＦＰＣを前記挿通孔に挿通したり、折り返して取り回す際に、ディスプレイモジュールとケース部材との間にＦＰＣを挟み込んだり、ＦＰＣをうまく挿通孔に挿通できずにＦＰＣ自体を傷つけてしまう虞がある。
そのため、従来においては、複数本のＦＰＣをテープ（片面又は両面）、粘着剤（接着剤を含む）などにより固定した状態で表示部側筐体の内部を取り回ししていた。
【０００５】
【特許文献１】特開２００７−１２４３８４号公報
【発明の開示】
【発明が解決しようとする課題】
【０００６】
しかし、複数本のＦＰＣをテープ、粘着剤などで固定する場合には、テープ、粘着剤などに起因する部品点数及びコストの増加、厚みの増加などの問題が生じる。
【０００７】
従って、本発明は、複数本のフレキシブルプリント基板が接続されたモジュールを筐体に内蔵した電子機器において、フレキシブルプリント基板同士を固定することができる電子機器を提供することを目的とする。
【課題を解決するための手段】
【０００８】
本発明は、所定のモジュールと、前記所定のモジュールに接続された第１及び第２のフレキシブルプリント基板と、前記所定のモジュール及び前記フレキシブルプリント基板を内蔵する筐体とを備え、前記第１のフレキシブルプリント基板と前記第２のフレキシブルプリント基板との少なくとも一方は、その側部に、該側部から延出する舌片を備え、一方の前記フレキシブルプリント基板における前記舌片が他方の前記フレキシブルプリント基板の表面に係止されることにより、前記第１のフレキシブルプリント基板と前記第２のフレキシブルプリント基板とが互いに固定される電子機器に関する。
【０００９】
また、前記第１のフレキシブルプリント基板及び前記第２のフレキシブルプリント基板は、前記所定のモジュールの端部において同じ方向に延びていることが好ましい。
【００１０】
また、前記第２のフレキシブルプリント基板は、前記第１のフレキシブルプリント基板を横断していることが好ましい。
【００１１】
また、前記舌片は、前記第１のフレキシブルプリント基板の両側部にそれぞれ設けられており、前記第２のフレキシブルプリント基板の側部には設けられていないことが好ましい。
【００１２】
また、前記第１のフレキシブルプリント基板の両側部にそれぞれ設けられた前記舌片は、該第１のフレキシブルプリント基板を横断する前記第２のフレキシブルプリント基板を挟んで、前記第１のフレキシブルプリント基板が延びる方向の両側にそれぞれ位置することが好ましい。
【００１３】
また、前記第１のフレキシブルプリント基板と前記第２のフレキシブルプリント基板とは、前記舌片を除き、重なっていないことが好ましい。
【００１４】
また、前記所定のモジュールは、ディスプレイモジュールであることが好ましい。
【００１５】
また、前記所定のモジュールは、前記第１のフレキシブルプリント基板と接続された第１のモジュールと、前記第２のフレキシブルプリント基板と接続された第２のモジュールとを備えることが好ましい。
【発明の効果】
【００１６】
本発明によれば、複数本のフレキシブルプリント基板が接続されたモジュールを筐体に内蔵した電子機器において、フレキシブルプリント基板同士を固定することができる。
【発明を実施するための最良の形態】
【００１７】
以下、本発明を実施するための最良の形態について、図面を参照しながら説明する。
図１は、本発明の第１実施形態の携帯電話機１について、操作部側筐体２と表示部側筐体３とを開いた状態で示す斜視図である。図２は、図１に示す携帯電話機１を折り畳んだ状態で表示部側筐体３のリアケース６側から視た斜視図である。
【００１８】
図１及び図２に示すように、第１実施形態の携帯電話機１は、折り畳み型の携帯電話機１であって、略直方体形状の操作部側筐体２と、略直方体形状の表示部側筐体３と、操作部側筐体２と表示部側筐体３とを連結する連結部４と、を備える。
【００１９】
操作部側筐体２の上端部と表示部側筐体３の下端部とは、連結部４を介して開閉可能に連結されている。つまり、連結部４は、表示部側筐体３と操作部側筐体２とを開閉軸Ｘを中心に開閉可能に連結している。
携帯電話機１は、連結部４を介して連結された操作部側筐体２と表示部側筐体３とを相対的に回転（回動）することにより、操作部側筐体２と表示部側筐体３とを互いに開いた状態（開放状態）にしたり、操作部側筐体２と表示部側筐体３とを折り畳んだ状態（折畳み状態）にすることができる。
【００２０】
操作部側筐体２は、その外面が、フロントケース２１及びリアケース２２を主体として構成されている。フロントケース２１は、操作部側筐体２の前面２ａ側を構成する。操作部側筐体２の前面２ａは、携帯電話機１を折り畳んだ状態で表示部側筐体３と向かい合う面である。リアケース２２は、前面２ａと反対側の面である背面２ｂ側を構成する。
【００２１】
フロントケース２１は、操作キー群１１が前面２ａに露出するように構成されている。操作キー群１１は、各種設定や電話帳機能やメール機能等の各種機能を作動させるための機能設定操作キー１３と、電話番号の数字やメール等の文字等を入力するためのテンキー等の入力操作キー１４と、各種操作における決定や上下左右方向のスクロール等を行う決定操作キー１５と、から構成されている。
【００２２】
操作キー群１１を構成する各キーそれぞれには、操作部側筐体２と表示部側筐体３との開閉状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２３】
前面２ａには、携帯電話機１の使用者が通話時に発した音声が入力される音声入力部１２が形成されている。音声入力部１２は、操作部側筐体２の長手方向における連結部４とは反対側の端部近傍に配置される。つまり、音声入力部１２は、携帯電話機１の開状態において長手方向の一方の端部側に配置される。
【００２４】
操作部側筐体２の側面２ｃには、例えば、外部機器（例えば、ホスト装置）とデータの送受信を行うためのインターフェース、ヘッドホン／マイク端子、着脱可能な外部メモリのインターフェース、バッテリを充電するための充電端子が設けられている。
【００２５】
次に、表示部側筐体３について説明する。図３は、背面３ｂ側から視た表示部側筐体３の分解斜視図である。図４は、回路基板３２、フロントケース５及びメイン液晶モジュール３４が積層された状態を示す斜視図である。図５は、図４に示す状態から回路基板３２を除いた状態を示す斜視図である。図６は、メイン液晶モジュール３４及びフロントケース５を表示部側筐体３の前面３ａ側から視た斜視図である。
【００２６】
図１から図３に示すように、表示部側筐体３は、その外面がフロントケース５及びリアケース６からなる筐体ケース３０を主体として構成される。筐体ケース３０は、表示部側筐体３の前面３ａ側を覆うフロントケース５と、表示部側筐体３の背面３ｂ側を覆うリアケース６とが結合されてなる。
【００２７】
図１から図３に示すように、筐体ケース３０における前面３０ａは、フロントケース５及びカバー部材３３を主体として構成されている。前面３０ａは、携帯電話機１を折り畳んだ状態で操作部側筐体２と向かい合う面である。筐体ケース３０における背面３０ｂは、リアケース６を主体として構成されている。背面３０ｂは、前面３０ａとは反対側の面である。
【００２８】
筐体ケース３０（表示部側筐体３）における長手方向に沿う側面３０ｃは、フロントケース５を主体として構成されている。筐体ケース３０（表示部側筐体３）における幅方向に沿う上面３０ｄは、リアケース６を主体として構成されている。上面３０ｄは、表示部側筐体３の長手方向における連結部４と反対の端部である。
【００２９】
表示部側筐体３内には、ディスプレイモジュールとして、各種情報を表示させるメイン液晶モジュール３４が配置されている。メイン液晶モジュール３４の一方の面には、メイン表示部３４ａが設けられており、メイン表示部３４ａは、透明部分を主体とするカバー部材３３を介して筐体ケース３０の前面３０ａに露出する。
【００３０】
また、フロントケース５には、通話の相手側における音声を出力する音声出力部３１が形成されている。音声出力部３１は、表示部側筐体３の長手方向における連結部４とは反対の端部側に配置される。つまり、音声出力部３１は、携帯電話機１の開状態における表示部側筐体３側の端部近傍に配置される。
【００３１】
表示部側筐体３のリアケース６側には、各種情報を表示させるサブ液晶モジュール３６が配置されている。サブ液晶モジュール３６の一方の面には、サブ表示部３６ａが設けられており、サブ表示部３６ａは、リアケース６の透明部分を介して筐体ケース３０の背面３０ｂに露出する。
【００３２】
メイン液晶モジュール３４及びサブ液晶モジュール３６は、それぞれ、メイン表示部３４ａ及びサブ表示部３６ａを構成する液晶パネル、この液晶パネルを駆動する駆動回路、この液晶パネルの背面側から光を照射するバックライト等の光源部などから構成される。
【００３３】
表示部側筐体３について更に説明する。図３から図６に示すように、表示部側筐体３は、リアケース６と、サブ液晶モジュール３６と、回路基板３２と、フロントケース５と、メイン液晶モジュール３４と、第１のフレキシブルプリント基板（以下「ＦＰＣ」ともいう）７０と、第２のＦＰＣ８０と、カバー部材３３と、を備えている。表示部側筐体３においては、リアケース６、サブ液晶モジュール３６、回路基板３２、フロントケース５、メイン液晶モジュール３４及びカバー部材３３が、この順で積層的に配置される。
【００３４】
フロントケース５とリアケース６とは、互いの凹状の内面が向き合うように配置される。詳細には、フロントケース５は、筐体ケース３０の前面３０ａにおける、カバー部材３３が配置された領域を除く領域を構成すると共に、表示部側筐体３の長手方向に沿う側面３０ｃを構成している。リアケース６は、筐体ケース３０の背面３０ｂの大部分を構成すると共に、筐体ケース３０の上面３０ｄの大部分を構成している。
【００３５】
図３に示すように、リアケース６とフロントケース５との間には、サブ液晶モジュール３６が、リアケース６を介してサブ表示部３６ａが露出するように配置されており、サブ液晶モジュール３６の周囲を囲むように回路基板３２が配置されている。
そして、回路基板３２、及びサブ液晶モジュール３６におけるサブ表示部３６ａが設けられていない面側に、フロントケース５を構成する板金部材５１が配置されている。即ち、リアケース６とフロントケース５における板金部材５１との間には、サブ液晶モジュール３６及び回路基板３２が挟み込まれるように配置されている。
【００３６】
回路基板３２は、メイン液晶モジュール３４及びサブ液晶モジュール３６に給電などを行う基板である。回路基板３２には、各種電子部品が配置されると共に、筐体ケース３０の前面３０ａ側に基準電位パターン層（図示せず）が形成されている。回路基板３２は、表示部側筐体３の長手方向（開閉軸Ｘとは直交する方向）に長い略直方体形成を有している。
【００３７】
回路基板３２におけるリアケース６側の面には、第１コネクタ３２ａ及び第２コネクタ３２ｂが設けられる。第１コネクタ３２ａ及び第２コネクタ３２ｂは、それぞれ、後述する第１のＦＰＣ７０の先端部７２及び第２のＦＰＣ８０の先端部８２が接続される。第１コネクタ３２ａ及び第２コネクタ３２ｂの挿入口は、回路基板３２の幅方向に開口している。
【００３８】
フロントケース５は、金属製の板金部材５１と、板金部材５１の一部を覆う樹脂部材５３とが、インサート成形により一体的に成形されて構成される。フロントケース５は、枠形状の樹脂部材５３の一方側の面が板金部材５１に覆われており、図６に示すように、他方側に、メイン液晶モジュール３４が収納される収納凹部５４が形成されている。
収納凹部５４における連結部４とは反対側の端部には、表示部側筐体３の幅方向（開閉軸Ｘに沿う方向）に細長の挿通孔５２が、表示部側筐体３の厚み方向に貫通して設けられている。
【００３９】
メイン液晶モジュール３４は、フロントケース５の収納凹部５４に収納されている。詳細には、カバー部材３３とフロントケース５との間には、メイン液晶モジュール３４が、カバー部材３３を介してメイン表示部３４ａが露出するように配置されている。メイン液晶モジュール３４は、表示部側筐体３の長手方向（開閉軸Ｘとは直交する方向）に長い略直方体形成を有している。
【００４０】
次に、ＦＰＣについて説明する。図７は、第１のＦＰＣ７０及び第２のＦＰＣ８０が接続されたメイン液晶モジュール３４を、メイン表示部３４ａ側から視た斜視図である。図８は、図７に示すメイン液晶モジュール３４をメイン表示部３４ａとは反対側から視た部分斜視図である。
【００４１】
図７及び図８に示すように、メイン液晶モジュール３４の上端部（連結部４とは反対側の端部）３４ｂには、第１のＦＰＣ７０が接続されていると共に、第２のＦＰＣ８０が接続されている。第１実施形態における第１のＦＰＣ７０は、ＬＣＤ用ＦＰＣ（ＬＣＤに表示する画像情報などの信号を伝達するためのＦＰＣ）である。第１のＦＰＣ７０は、第２のＦＰＣ８０よりも幅が太くなっている。第１実施形態における第２のＦＰＣ８０は、ＬＥＤ用ＦＰＣ（ＬＣＤのバックライトを点灯するための電力を伝達するためのＦＰＣ）である。このように、メイン液晶モジュール３４は、ＬＣＤとＬＥＤとにより構成される。
【００４２】
第１のＦＰＣ７０及び第２のＦＰＣ８０は、メイン液晶モジュール３４の上端部３４ｂにおいて同じ方向に延びている。詳細には、メイン液晶モジュール３４が筐体ケース３０に内蔵された状態において、第１のＦＰＣ７０の基端部７１の近傍及び第２のＦＰＣ８０の基端部８１の近傍は、表示部側筐体３の下端部（連結部４側の端部）から表示部側筐体３の上端部に向けて延びている。この方向を以下「第１方向Ｄ１」ともいう。第１方向Ｄ１は、表示部側筐体３、メイン液晶モジュール３４及び回路基板３２の長手方向でもある。
また、第１方向Ｄ１と直交する方向であって表示部側筐体３の厚み方向とも直交する方向を以下「第２方向Ｄ２」ともいう。第２方向Ｄ２は、表示部側筐体３、メイン液晶モジュール３４及び回路基板３２の幅方向でもある。
【００４３】
第１のＦＰＣ７０は、メイン液晶モジュール３４側の基端部７１と、その反対側の先端部７２との間に、直角に屈曲する屈曲部７３を有する。つまり、第１のＦＰＣ７０は、略Ｌ字形状を有し、第１のＦＰＣ７０における先端部７２の近傍は、第２方向Ｄ２に延びている。
【００４４】
第２のＦＰＣ８０は、メイン液晶モジュール３４側の基端部８１と、その反対側の先端部８２との間に、直角に屈曲する屈曲部８３を有する。つまり、第２のＦＰＣ８０は、略Ｌ字形状を有し、第２のＦＰＣ８０における先端部８２の近傍は、第２方向Ｄ２に延びている。
【００４５】
また、第１のＦＰＣ７０及び第２のＦＰＣ８０を厚み方向に視た状態において、第１のＦＰＣ７０の基端部７１と第２のＦＰＣ８０の基端部８１とは重なっておらず、位置がずれている。また、第２のＦＰＣ８０は、第１のＦＰＣ７０を横断している。詳細には、第１のＦＰＣ７０の屈曲部７３は、第２のＦＰＣ８０の屈曲部８３よりも、メイン液晶モジュール３４の上端部３４ｂから離れている。また、第１のＦＰＣ７０における基端部７１側の領域（屈曲部７３よりも基端部７１側の領域）は、第１方向Ｄ１に延びているのに対し、第２のＦＰＣ８０における先端部８２側の領域（屈曲部８３よりも先端部８２側の領域）は、第２方向Ｄ２に延びている。そのため、第２のＦＰＣ８０は、第１のＦＰＣ７０を横断する。
【００４６】
また、第１のＦＰＣ７０は、その側部に、側部から延出する舌片７４ａ，７４ｂを備える。舌片は、ＦＰＣにおける樹脂部分からなり、絶縁性を有していることが好ましい。また、舌片は、適度な弾性及び剛性を有していることが好ましい。
詳述すると、第１のＦＰＣ７０における基端部７１側の領域の一方の側部（第２のＦＰＣ８０における基端部８１側の領域に対する側部）には、舌片７４ａが第２方向Ｄ２に延出するように設けられている。舌片７４ａは、第２のＦＰＣ８０における基端部８１側の領域における第１のＦＰＣ７０との対向面とは反対側の表面に係止される。
【００４７】
また、第１のＦＰＣ７０における先端部７２側の領域の他方の側部（前記一方の側部とは反対側の側部）には、舌片７４ｂが第１方向Ｄ１に延出するように設けられている。舌片７４ｂは、第２のＦＰＣ８０における先端部８２側の領域における第１のＦＰＣ７０との対向面とは反対側の表面に係止される。
【００４８】
このように、舌片７４ａ，７４ｂは、第１のＦＰＣ７０の両側部にそれぞれ設けられている。舌片７４ａ，７４ｂは、第１のＦＰＣ７０を横断する第２のＦＰＣ８０を挟んで、第１のＦＰＣ７０が延びる方向の両側にそれぞれ位置する。ここで、「第１のＦＰＣ７０（又は第２のＦＰＣ８０）が延びる方向」とは、第１のＦＰＣ７０（又は第２のＦＰＣ８０）が曲がっている場合には、その曲がる方向に沿って延びる方向であり、必ずしも直線状ではない。
一方、第２のＦＰＣ８０の側部には、舌片は設けられていない。
【００４９】
従って、第２のＦＰＣ８０は、第１のＦＰＣ７０における基端部７１側の領域により第１のＦＰＣ７０に向かう方向の移動が規制されると共に、舌片７４ａ，７４ｂにより第１のＦＰＣ７０から離れる方向の移動が規制される。
このようにして、第１実施形態においては、第１のＦＰＣ７０と第２のＦＰＣ８０とが互いに固定される。
【００５０】
互いに固定された第１のＦＰＣ７０及び第２のＦＰＣ８０は、以下に説明するように折り返され、所定の経路を経由して、回路基板３２におけるリアケース６側の面に設けられた第１コネクタ３２ａ及び第２コネクタ３２ｂに接続される。図９（ａ）から（ｃ）は、第１のＦＰＣ７０及び第２のＦＰＣ８０の折り返し形態を形成する手順を順次示す模式図である。
【００５１】
図９（ａ）及び（ｂ）に示すように、第１方向Ｄ１に延びる第１折り返し線Ｊ１（図９（ａ）参照）を折り返し線として、第１のＦＰＣ７０における先端部７２側の領域及び第２のＦＰＣ８０における先端部８２側の領域がメイン液晶モジュール３４におけるメイン表示部３４ａ側に折り返され、図９（ｂ）に示す状態となる。図９（ｂ）に示す状態において、第１のＦＰＣ７０における先端部７２側の領域及び第２のＦＰＣ８０における先端部８２側の領域には、それぞれ折り返し部７５及び８５が形成される。
そして、図３及び図５に示すように、図９（ｂ）に示すように折り返された第１のＦＰＣ７０及び第２のＦＰＣ８０が、フロントケース５の挿通孔５２に挿通され、フロントケース５における回路基板３２側に配置される。
【００５２】
次に、図９（ｂ）及び（ｃ）に示すように、第１のＦＰＣ７０及び第２のＦＰＣ８０は、それぞれそれらの基端部７１及び基端部８１において、第２方向Ｄ２に延びる第１折り返し線Ｊ２（図９（ｂ）参照）を折り返し線として、メイン液晶モジュール３４におけるメイン表示部３４ａとは反対側の面に折り返され、図９（ｃ）に示す状態となる。その結果、図９（ｃ）に示すように、第１のＦＰＣ７０の先端部７２及び第２のＦＰＣ８０の先端部８２は、図９（ａ）に示す方向とは反対方向を向くことになる。
【００５３】
そして、図３及び図４に示すように、第１のＦＰＣ７０における先端部７２側の領域及び第２のＦＰＣ８０における先端部８２側の領域は、それぞれ、折り返し部７５及び８５を回路基板３２の長手方向に沿う端部に位置させた形で、回路基板３２におけるリアケース６側に配置される。
更には、第１のＦＰＣ７０の先端部７２及び第２のＦＰＣ８０の先端部８２は、それぞれ第１コネクタ３２ａ及び第２コネクタ３２ｂに接続される。その結果、メイン液晶モジュール３４は、第１のＦＰＣ７０及び第２のＦＰＣ８０を介して回路基板３２に電気的に接続される。
【００５４】
第１実施形態の携帯電話機１によれば、例えば下記の効果が奏される。
第１実施形態の携帯電話機１においては、第１のＦＰＣ７０は、その側部に、該側部から延出する舌片７４ａ，７４ｂを備え、舌片７４ａ，７４ｂが第２のＦＰＣ８０の表面に係止されることにより、第１のＦＰＣ７０と第２のＦＰＣ８０とが互いに固定される。
そのため、テープ、粘着剤などを用いる必要がなく、テープ、粘着剤などに起因する部品点数や部品コストの増加、厚みの増加などの問題が生じさせることない。また、ＦＰＣだけで、ＦＰＣ同士を固定することができる。
【００５５】
次に、本発明の他の実施形態について説明する。他の実施形態については、主として、第１実施形態とは異なる点を説明し、第１実施形態と同様の構成について同じ符号を付し、説明を省略する。他の実施形態について特に説明しない点については、第１実施形態についての説明が適宜適用される。他の実施形態においても、第１実施形態と同様の効果が奏される。
【００５６】
＜第２実施形態＞
図１０は、第２実施形態におけるメイン液晶モジュール３４、第１のＦＰＣ７０及び第２のＦＰＣ８０を示す部分図である。
図１０に示すように、第２実施形態は、第１実施形態に比して、「第１のＦＰＣ７０は、屈曲部７３を有しておらず、第１方向Ｄ１に直線状に延びている点」及び「舌片は、第１のＦＰＣ７０に設けられておらず、第２のＦＰＣ８０における両側部にそれぞれ（計２個）設けられている点」が主として異なる。
【００５７】
第２実施形態においては、第１のＦＰＣ７０は、第１方向Ｄ１に直線状に延びており、また、舌片を有していない。
第２のＦＰＣ８０は、屈曲部８３を有しており、その基端部８１側が第１方向Ｄ１に延びており、その先端部８２側が第２方向Ｄ２に延びている。そして、第２方向Ｄ２に延びる先端部８２側の領域が第１のＦＰＣ７０を横断している。第２のＦＰＣ８０においては、第１のＦＰＣ７０を挟んで、第１方向Ｄ１に延びる領域における第１のＦＰＣ７０側の側部に、舌片８４ａが第２方向Ｄ２に延出して設けられており、先端部８２側の第２方向Ｄ２に延びる領域におけるメイン液晶モジュール３４側の側部に、舌片８４ｂが設けられている。舌片８４ｂは、第１方向Ｄ１に延出してから直角に屈曲し、第２方向Ｄ２に延びている。
【００５８】
舌片８４ａ，８４ｂは、第１のＦＰＣ７０における第２のＦＰＣ８０との対向面とは反対側の表面に係止される。
そのため、第２実施形態においては、第１実施形態と同様に、第１のＦＰＣ７０と第２のＦＰＣ８０とが互いに固定される。
【００５９】
＜第３実施形態＞
図１１は、第３実施形態におけるメイン液晶モジュール３４、第１のＦＰＣ７０及び第２のＦＰＣ８０を示す部分図である。
図１１に示すように、第３実施形態は、第２実施形態に比して、「第２のＦＰＣ８０に舌片８４ｂが設けられておらず、それに代えて、第１のＦＰＣ７０に舌片７４ｃが設けられている点」が主として異なる。
【００６０】
第３実施形態においては、第１のＦＰＣ７０には、第１のＦＰＣ７０を横断する第２のＦＰＣ８０よりも基端部７１側の領域における側部であって第２のＦＰＣ８０の先端部８２側の位置に、舌片７４ｃが設けられている。舌片７４ｃは、第１のＦＰＣ７０の側部から第１方向Ｄ１に延出してから直角に屈曲し、第１方向Ｄ１に延びている。
舌片７４ｃは、第２のＦＰＣ８０の先端部８２側の領域で第１のＦＰＣ７０と重なっていない位置における第１のＦＰＣ７０との対向面とは反対側の表面に係止される。
そのため、第３実施形態においては、第２実施形態と同様に、第１のＦＰＣ７０と第２のＦＰＣ８０とが互いに固定される。
【００６１】
＜第４実施形態＞
図１２は、第４実施形態におけるメイン液晶モジュール３４、第１のＦＰＣ７０及び第２のＦＰＣ８０を示す部分図である。
図１２に示すように、第４実施形態は、第２実施形態に比して、「第１のＦＰＣ７０及び第２のＦＰＣ８０は、メイン液晶モジュール３４の上端部３４ｂにおいて同じ方向に延びておらず、異なる方向に延びている点」が主として異なる。
【００６２】
第４実施形態においては、メイン液晶モジュール３４の上端部３４ｂにおける角部に、第２方向Ｄ２に沿う第１縁部３４ｃと、第１方向Ｄ１に沿う第２縁部３４ｄとを有する切り欠き部が形成されている。
第１のＦＰＣ７０は、第１縁部３４ｃから第１方向Ｄ１に延出し、直線状に延びており、また、舌片を有していない。
【００６３】
第２のＦＰＣ８０は、第２縁部３４ｄから第２方向Ｄ２に延出し、第１のＦＰＣ７０を横断し、屈曲部８３において直角に屈曲し、第１のＦＰＣ７０の先端部７２側に第１方向Ｄ１に延びている。
第２のＦＰＣ８０は、第２縁部３４ｄと第１のＦＰＣ７０との間に位置する側部であって第１のＦＰＣ７０の先端部７２側のものに、舌片８４ｃを備えている。舌片８４ｃは、該縁部から第１のＦＰＣ７０の先端部７２側に第１方向Ｄ１に延出してから直角に屈曲し、第２方向Ｄ２に延びているが、第１のＦＰＣ７０を横断してはいない。
【００６４】
また、第１方向Ｄ１に延びる第２のＦＰＣ８０における第１のＦＰＣ７０側の側部には、舌片８４ｄが設けられる。舌片８４ｄは、該側部から第１のＦＰＣ７０側に第２方向Ｄ２に延出しているが、第１のＦＰＣ７０を横断してはいない。また、舌片８４ｄは、舌片８４ｃとは重ならない。
舌片８４ｃ，８４ｄは、第１のＦＰＣ７０における第２のＦＰＣ８０との対向面とは反対側の表面に係止される。
そのため、第４実施形態においては、第２実施形態と同様に、第１のＦＰＣ７０と第２のＦＰＣ８０とが互いに固定される。
【００６５】
＜第５実施形態＞
図１３は、第５実施形態におけるメイン液晶モジュール３４、第１のＦＰＣ７０及び第２のＦＰＣ８０を示す部分図である。
図１３に示すように、第５実施形態は、第１から第４実施形態に比して、「第１のＦＰＣ７０と第２のＦＰＣ８０とは、舌片を除き、重なっていない（自ずと交差してもいない）点」が主として異なる。
【００６６】
第５実施形態においては、第１のＦＰＣ７０及び第２のＦＰＣ８０は、メイン液晶モジュール３４の上端部３４ｂにおいて同じ方向に延びており、詳細には、第１方向Ｄ１に直線状に延びている。
第１のＦＰＣ７０における第２のＦＰＣ８０側の側部には、舌片７４ｄが第２のＦＰＣ８０側に第２方向Ｄ２に延出している。また、第２のＦＰＣ８０における第１のＦＰＣ７０側の側部には、舌片８４ｅが第１のＦＰＣ７０側に第２方向Ｄ２に延出している。
【００６７】
舌片７４ｄは、舌片８４ｅに対して、第１のＦＰＣ７０の先端部７２側及び第２のＦＰＣ８０の先端部８２側に位置している。
舌片７４ｄは、第２のＦＰＣ８０における一方の表面に係止され、舌片８４ｅは、第１のＦＰＣ７０における同じ側の表面に係止される。
そのため、第５実施形態においては、第１のＦＰＣ７０と第２のＦＰＣ８０とが互いに固定される。
【００６８】
＜第６実施形態＞
図１４は、第６実施形態におけるメイン液晶モジュール３４、第１のＦＰＣ７０及び第２のＦＰＣ８０を示す部分図である。
図１４に示すように、第６実施形態は、第５実施形態に比して、「第１のＦＰＣ７０及び第２のＦＰＣ８０における舌片が、鉤形状を有している点」が主として異なる。
【００６９】
第６実施形態においては、第１のＦＰＣ７０における舌片７４ｅは、第５実施形態における舌片７４ｄに比して、第２のＦＰＣ８０を第２方向Ｄ２に横断しており、その先端部が略半円弧状の鉤形状を有している。同様に、第２のＦＰＣ８０における舌片８４ｆは、第５実施形態における舌片８４ｅに比して、第１のＦＰＣ７０を第２方向Ｄ２に横断しており、その先端部が略半円弧状の鉤形状を有している。
【００７０】
そして、舌片７４ｅにおける鉤形状の先端部は、第２のＦＰＣ８０における第１のＦＰＣ７０とは反対側の側部から、第２のＦＰＣ８０を横断する舌片７４ｅとの対向面とは反対側の表面に係止される。同様に、舌片８４ｆにおける鉤形状の先端部は、第１のＦＰＣ７０における第２のＦＰＣ８０とは反対側の側部から、第１のＦＰＣ７０を横断する舌片８４ｄとの対向面とは反対側の表面に係止される。
そのため、第６実施形態においては、第５実施形態と同様に、第１のＦＰＣ７０と第２のＦＰＣ８０とが互いに固定される。
【００７１】
以上、本発明の各実施形態について説明したが、本発明は上述した各実施形態に制限されるものではない。
例えば、本発明に係る所定のモジュールは、表示部側筐体３におけるメイン液晶モジュール３４（ディスプレイモジュール）に制限されない。
第１及び第２のＦＰＣは、ＬＣＤ用ＦＰＣやＬＥＤ用ＦＰＣ以外のＦＰＣでもよい。ＦＰＣの本数は３本以上でもよい。
【００７２】
前記実施形態においては、１個のモジュール（メイン液晶モジュール３４）に第１のＦＰＣ７０及び第２のＦＰＣ８０の両方が接続されているが、これに制限されず、第１のモジュールに第１のＦＰＣ７０が接続され、第１のモジュールとは別の第２のモジュールに第２のＦＰＣ８０が接続された構成とすることもできる。
【００７３】
また、本発明の電子機器は、前記実施形態のような折り畳み式ではなく、操作部側筐体２と表示部側筐体３とを重ね合わせた状態から一方の筐体を一方向にスライドさせるようにしたスライド式の電子機器であってもよい。また、操作部側筐体２と表示部側筐体３との重ね合せ方向に沿う軸線を中心に一方の筐体を回転させるようにした回転式（リボルバ）の電子機器であってもよい。
【００７４】
本発明は、携帯電話機以外の携帯電子機器に適用することができ、また携帯電子機器以外の電子機器にも適用することができる。携帯電話機以外の携帯電子機器としては、例えば、ＰＨＳ（登録商標：Ｐｅｒｓｏｎａｌ  Ｈａｎｄｙ  ｐｈｏｎｅ  Ｓｙｓｔｅｍ）、ポータブルゲーム機、ポータブルナビゲーション装置、ＰＤＡ（Ｐｅｒｓｏｎａｌ  Ｄｉｇｉｔａｌ  Ａｓｓｉｓｔａｎｔ）、ノートパソコン、操作部を備えるＥＬディスプレイ又は液晶ディスプレイが挙げられる。
更に、携帯電子機器以外の電子機器としては、例えば、電子辞書、電卓、電子手帳、デジタルカメラ、ビデオカメラ、ラジオ等が挙げられるが、これらのみに限定されるものではない。
【図面の簡単な説明】
【００７５】
【図１】本発明の第１実施形態の携帯電話機１について、操作部側筐体２と表示部側筐体３とを開いた状態で示す斜視図である。
【図２】図１に示す携帯電話機１を折り畳んだ状態で表示部側筐体３のリアケース６側から視た斜視図である。
【図３】背面３ｂ側から視た表示部側筐体３の分解斜視図である。
【図４】回路基板３２、フロントケース５及びメイン液晶モジュール３４が積層された状態を示す斜視図である。
【図５】図４に示す状態から回路基板３２を除いた状態を示す斜視図である。
【図６】メイン液晶モジュール３４及びフロントケース５を表示部側筐体３の前面３ａ側から視た斜視図である。
【図７】第１のＦＰＣ７０及び第２のＦＰＣ８０が接続されたメイン液晶モジュール３４を、メイン表示部３４ａ側から視た斜視図である。
【図８】図７に示すメイン液晶モジュール３４をメイン表示部３４ａとは反対側から視た部分斜視図である。
【図９】（ａ）から（ｃ）は、第１のＦＰＣ７０及び第２のＦＰＣ８０の折り返し形態を形成する手順を順次示す模式図である。
【図１０】第２実施形態におけるメイン液晶モジュール３４、第１のＦＰＣ７０及び第２のＦＰＣ８０を示す部分図である。
【図１１】第３実施形態におけるメイン液晶モジュール３４、第１のＦＰＣ７０及び第２のＦＰＣ８０を示す部分図である。
【図１２】第４実施形態におけるメイン液晶モジュール３４、第１のＦＰＣ７０及び第２のＦＰＣ８０を示す部分図である。
【図１３】第５実施形態におけるメイン液晶モジュール３４、第１のＦＰＣ７０及び第２のＦＰＣ８０を示す部分図である。
【図１４】第６実施形態におけるメイン液晶モジュール３４、第１のＦＰＣ７０及び第２のＦＰＣ８０を示す部分図である。
【符号の説明】
【００７６】
１  携帯電話機（電子機器）
２  操作部側筐体
３  表示部側筐体（筐体）
４  連結部
３４  メイン液晶モジュール（ディスプレイモジュール、所定のモジュール）
３４ｂ  上端部（端部）
７０  第１のＦＰＣ（フレキシブルプリント基板）
７４ａ〜７４ｅ、８４ａ〜８４ｆ  舌片
８０  第２のＦＰＣ（フレキシブルプリント基板）
【図１】
2009260140.tif 000003
【図２】
2009260140.tif 000004
【図３】
2009260140.tif 000005
【図４】
2009260140.tif 000006
【図５】
2009260140.tif 000007
【図６】
2009260140.tif 000008
【図７】
2009260140.tif 000009
【図８】
2009260140.tif 000010
【図９】
2009260140.tif 000011
【図１０】
2009260140.tif 000012
【図１１】
2009260140.tif 000013
【図１２】
2009260140.tif 000014
【図１３】
2009260140.tif 000015
【図１４】
2009260140.tif 000016